(57)【要約】【課題】  ヒンジ装置を物体に取付けるべきソケットの着脱作業が容易であり、またソケットを取付けるべき取付け部材の構造を複雑にすることがない。【解決手段】  ヒンジ装置１０のソケット２０は、嵌め込み方向の後方から突出して取付け板６４の取付け孔６５の縁６５ｆに掛け止めされる掛け止め爪７５を有し、この掛け止め爪７５は、リンク機構２２の内外のアーム４４、４５のスペーサ６６から延びソケット２０の側方から突出するスペーサ連結部分７２を掛け止めアーム７５Ａとしてその一部に設けられている。【選択図】        図１７
2005113415.tif 000002
【特許請求の範囲】
【請求項１】
相互に開閉自在に連結されるべき２つの物体のいずれか一方の物体に取付けられるソケットと、前記ソケットに回動自在に取付けられ他方の物体に取付けられるヒンジ本体と、前記ソケットを前記一方の物体の取付け部材に弾性的に掛け止めして取付けるソケット取付け手段とを備えたヒンジ装置において、前記ソケット取付け手段は、前記ソケットの嵌め込み方向の後方に向けて突出する掛け止め爪を有することを特徴とするヒンジ装置。
【請求項２】
請求項１に記載のヒンジ装置であって、前記ソケットと前記ヒンジ本体とはリンク機構を介して回動自在になっており、前記掛け止め爪は、前記ソケットと前記リンク機構のアームとの間に配置されたスペーサ部分から延びている掛け止めアームに形成されていることを特徴とするヒンジ装置。
【請求項３】
請求項１に記載のヒンジ装置であって、前記ソケットと前記ヒンジ本体とはリンク機構を介して回動自在になっており、前記掛け止め爪は、前記ソケットと前記リンク機構のアームとの間に設けられた２つのスペーサ部分を連結するスペーサ連結部分を掛け止めアームとして、前記掛け止めアームの一部に形成されていることを特徴とするヒンジ装置。
【請求項４】
請求項２又は３に記載のヒンジ装置であって、前記取付け部材は、前記一方の物体に固定されて前記ソケットが嵌入して取付けられる取付け孔を有する取付け板から成り、前記取付け板は、前記掛け止めアームを弾性的に引っ込めつつ案内する案内片を有することを特徴とするヒンジ装置。
【請求項５】
請求項２乃至４のいずれかに記載のヒンジ装置であって、前記掛け止めアームは、前記ソケットの側面から突出する爪外し操作部を構成していることを特徴とするヒンジ装置。
【請求項６】
請求項１乃至５のいずれかに記載のヒンジ装置であって、前記ソケットを前記取付け部材に嵌め込むために、前記ソケットの嵌め込み方向の前方の端部に設けられて前記取付け部材に設けられた係止部に係止される被係止部を有し、前記ソケットは、前記取付け部材の係止部との係止点を中心として前記ソケットを斜め側方に押し付けつつ回動して前記取付け部材に嵌め込まれることを特徴とするヒンジ装置。
【請求項７】
請求項６に記載のヒンジ装置であって、前記取付け部材は、前記一方の物体に固定されて前記ソケットが嵌入して取付けられる取付け孔を有する取付け板から成り、前記係止部は、前記取付け板の取付け孔に対してほぼ直交するように設けられた係止片から成っていることを特徴とするヒンジ装置。
【請求項８】
請求項７に記載のヒンジ装置であって、前記ソケットは、前記ソケットが前記取付け板に掛け止めされた状態で前記取付け板の前記一方の物体とは反対側の面に係合する係合片を有することを特徴とするヒンジ装置。
【請求項９】
相互に開閉自在に連結されるべき２つの物体のいずれか一方の物体に取付けられるべきソケットと、前記ソケットに回動自在に取付けられ他方の物体に取付けられるべきヒンジ本体とから成り、前記前記ソケットを前記一方の物体の取付け部材に弾性的に掛け止めして取付けられるようにしたヒンジアッセンブリにおいて、前記ソケットの嵌め込み方向の後方に向けて突出する掛け止め爪を有することを特徴とするヒンジアッセンブリ。
【請求項１０】
請求項９に記載のヒンジアッセンブリであって、前記ソケットと前記ヒンジ本体とはリンク機構を介して回動自在になっており、前記掛け止め爪は、前記ソケットと前記リンク機構のアームとの間に配置されたスペーサ部分から延びている掛け止めアームに形成されていることを特徴とするヒンジアッセンブリ。
【請求項１１】
請求項９に記載のヒンジアッセンブリであって、前記ソケットと前記ヒンジ本体とはリンク機構を介して回動自在になっており、前記掛け止め爪は、前記ソケットと前記リンク機構のアームとの間に設けられた２つのスペーサ部分を連結するスペーサ連結部分を掛け止めアームとして、前記掛け止めアームの一部に形成されていることを特徴とするヒンジアッセンブリ。
【請求項１２】
請求項９乃至１１のいずれかに記載のヒンジアッセンブリであって、前記掛け止めアームは、前記ソケットの側面から突出する爪外し操作部を構成していることを特徴とするヒンジアッセンブリ。
【請求項１３】
請求項２又は３に記載のヒンジ装置に用いられる取付け部材であって、前記一方の物体に固定されて前記ソケットが嵌入して取付けられる取付け孔を有する取付け板から成り、前記取付け板は、前記掛け止めアームを弾性的に引っ込めつつ案内する案内片を有することを特徴とするヒンジ装置用取付け部材。
【請求項１４】
請求項９乃至１２のいずれかに記載のヒンジアッセンブリに用いられる取付け部材であって、前記一方の物体に固定されて前記ソケットが嵌入して取付けられる取付け孔を有する取付け板から成り、前記取付け板は、前記掛け止めアームを弾性的に引っ込めつつ案内する案内片を有することを特徴とするヒンジッセンブリ用取付け部材。
【発明の詳細な説明】
【技術分野】
【０００１】
本発明は、パチンコなどの遊戯具や家具等の如き扉を有する種々の収容物体と扉との如き２つの物体を相互に開閉自在に連結するヒンジ装置に関し、特にヒンジ装置のソケットを扉の如き物体に取付ける部分を改良したヒンジ装置、このヒンジ装置に用いられるヒンジアッセンブリ及び取付け部材に関するものである。
【背景技術】
【０００２】
一般に、ヒンジ装置は、扉に取付けられるソケットと、このソケットにアームを介して取付けられたヒンジ本体とから成り、ヒンジ本体は、家具の箱形本体や遊戯具の収容物体の本体内面に取付け、ソケットは、扉の取付け部材に着脱自在に取付けられている。
【０００３】
最近、ソケットを扉にワンタッチで着脱自在に取付けるソケット取付け手段を備えたヒンジ装置が提案されている(特許文献１参照)。このヒンジ装置に用いられているソケット取付け手段は、特許文献１の図５及び図６に示すように、ソケット(カップ型被取付部材)１２が扉Ｄに埋め込んで固定された取付け部材であるカップケース４に嵌め込まれてカップケースの奥に設けられた１対の掛け止め爪（係合爪）４１３がソケット１２の対応する係合溝１４の底部肩部１４ｂに掛け止め（係合）されるように形成されている。掛け止め爪４１３がソケット１２の肩部１４ｂに確実に掛け止めされるように、ソケット１２は、カップケース４の底部に設けられたばね４１４によってソケット１２を嵌め込み方向と反対方向に上向きに付勢して肩部１４ｂを掛け止め爪３１４に確実に衝合している。
【０００４】
このソケット取付け手段では、カップケース４に掛け止め爪４１３を形成するためにケース４の内側に折り返しの二重壁を必要とするので、カップケース４の構造が複雑となる上に、掛け止め爪４１２がカップケース４の閉じ込まれた空間の奥に形成されているので、ソケット１２を扉Ｄから取り外す際に、掛け止め爪４１２をソケット１２の肩部１４ｂから掛け外すために必要なドライバーの如き治具５０を挿入するための治具挿入溝１４ａをソケット肩部１４ｂの上方に設けているが、治具５０の挿入方向とソケット１２の抜き出し方向とが逆向きとなるので、治具５０の挿入状態を維持しながらソケット１２を抜き出さなければならないためソケット１２の取り外し作業が煩雑となって作業性が低い欠点があった。
【０００５】
【特許文献１】実公平７−５４５２５号公報
【発明の開示】
【発明が解決しようとする課題】
【０００６】
本発明が解決しようとする１つの課題は、ソケットが取付けられるべき取付け部材の構造を複雑にすることなく、ソケットを扉の如き物体に確実に取付けることができるヒンジ装置を提供することにある．
【０００７】
本発明が解決しようとする他の課題は、ソケットを取付け部材から簡単に抜き出すことができるヒンジ装置を提供することにある。
【０００８】
本発明が解決しようとする他の課題は、ソケットが取付けられるべき取付け部材の構造を複雑にすることなく、ソケットを扉の如き物体に確実に取付けることができるヒンジアッセンブリを提供することにある。
【０００９】
本発明が解決しようとする更に他の課題は、ソケットを簡単に抜き出すことができるヒンジ装置用取付け部材を提供することにある。
【課題を解決するための手段】
【００１０】
本発明の第１の基本的な課題解決手段は、相互に開閉自在に連結されるべき２つの物体のいずれか一方の物体に取付けられるソケットと、このソケットに回動自在に取付けられ他方の物体に取付けられるヒンジ本体と、ソケットを取付け部材に弾性的に掛け止めして取付けるソケット取付け手段とを備えたヒンジ装置において、ソケット取付け手段は、ソケットの嵌め込み方向の後方に向けて突出する掛け止め爪を有することを特徴とするヒンジ装置を提供することにある。
【００１１】
本発明の第１の課題解決手段において、ソケットとヒンジ本体とはリンク機構を介して回動自在になっている場合、掛け止め爪は、ソケットとリンク機構のアームとの間に配置されたスペーサ部分から延びている掛け止めアームに形成されているものとすることができ、特に、ソケットとリンク機構のアームとの間に設けられた２つのスペーサ部分を連結するスペーサ連結部分を掛け止めアームとして、この掛け止めアームの一部に形成されているものとすることができる。
【００１２】
また、取付け部材は、一方の物体に固定されてソケットが嵌入して取付けられる取付け孔を有する取付け板から成り、この取付け板は、掛け止めアームを弾性的に引っ込めつつ案内する案内片を有するのが好ましく、更に掛け止めアームは、ソケットの側面から突出して爪外し操作部を構成しているのが好ましい。
【００１３】
ソケットを取付け部材に嵌め込むために、ソケットは、その嵌め込み方向の前方の端部に設けられて取付け部材に設けられた係止部に係止される被係止部を有し、ソケットは、取付け部材の係止部との係止点を中心としてソケットを斜め側方に押し付けつつ回動して取付け部材に嵌め込まれるのが好ましい。
【００１４】
取付け部材は、一方の物体に固定されてソケットが嵌入して取付けられる取付け孔を有する取付け板から成っている場合、係止部は、取付け板の取付け孔に対してほぼ直交するように設けられた係止片から成っているものとすることができる。また、ソケットは、このソケットが取付け板に掛け止めされた状態で取付け板の一方の物体とは反対側の面に係合する係合フランジを有するものとすることができる。
【００１５】
本発明の第２の課題解決手段は、相互に開閉自在に連結されるべき２つの物体のいずれか一方の物体に取付けられるべきソケットと、このソケットに回動自在に取付けられ他方の物体に取付けられるべきヒンジ本体とから成り、ソケットを一方の物体の取付け部材に弾性的に掛け止めして取付けられるようにしたヒンジアッセンブリにおいて、ソケットの嵌め込み方向の後方に向けて突出する掛け止め爪を有することを特徴とするヒンジアッセンブリを提供することにある。
【００１６】
本発明の第２の課題解決手段によるヒンジアッセンブリにおいて、ソケットとヒンジ本体とはリンク機構を介して回動自在になっており、掛け止め爪は、ソケットとリンク機構のアームとの間に配置されたスペーサ部分から延びている掛け止めアームに形成されているものとすることができ、特に、この場合、掛け止め爪は、ソケットとリンク機構のアームとの間に設けられた２つのスペーサ部分を連結するスペーサ連結部分を掛け止めアームとして、この掛け止めアームの一部に形成されているのが好ましい。
【００１７】
また、この第２の課題解決手段によるヒンジアッセンブリであって、このアッセンブリが掛け止めアームを有する場合、この掛け止めアームは、ソケットの側面から突出する爪外し操作部を構成しているのが好ましい。
【００１８】
本発明の第３の課題解決手段は、第１の課題解決手段によるヒンジ装置であって掛け止めアームを有する装置に用いられる取付け部材であって、一方の物体に固定されてソケットが嵌入して取付けられる取付け孔を有する取付け板から成り、取付け板は、掛け止めアームを弾性的に引っ込めつつ案内する案内片を有することを特徴とするヒンジ装置用取付け部材を提供することにある。
【００１９】
第３の課題解決手段によるヒンジアッセンブリであって掛け止めアームを有する場合にこのヒンジアッセンブリに用いられる取付け部材であって、一方の物体に固定されてソケットが嵌入して取付けられる取付け孔を有する取付け板から成り、取付け板は、掛け止めアームを弾性的に引っ込めつつ案内する案内片を有することを特徴とするヒンジッセンブリ用取付け部材を提供することにある。
【発明の効果】
【００２０】
本発明によれば、ソケット取付け手段は、ソケットの嵌め込み方向の後方に向けて突出する掛け止め爪から成っているので、ソケットの掛け止め位置は、ソケットの奥ではなく、手前となり、ソケットの掛け外しを容易に行うことができる。
【００２１】
特に、ソケットとヒンジ本体とはリンク機構を介して回動自在になっている場合、ソケットとリンク機構のアームとの間に配置された弾性スペーサ部分から延びている掛け止めアームやソケットとリンク機構のアームとの間に設けられた２つのスペーサ部分を連結するスペーサ連結部分を掛け止めアームとして、この掛け止めアームの一部に掛け止め爪が形成されていると、ソケットや取付け部材に弾性掛け止め部分を形成する必要がなく、ソケット及び取付け部材の構造が簡単となる。
【００２２】
また、取付け部材が一方の物体に固定されてソケットが嵌入して取付けられる取付け孔を有する取付け板から成っていて、この取付け板が掛け止めアームを弾性的に引っ込めつつ案内する案内片を有すると、この案内片は、ソケットの嵌め込み時の掛け止めアームを引っ込める機能とソケットが嵌め込まれた後にソケットを取付け板に安定して保持する機能とを有し、ソケットを堅固に取付けることができる。
【００２３】
掛け止めアームがソケットの側面から突出する爪外し操作部を構成すると、取付け板の側方から治具を入れて掛け止め爪を容易に外すことができ、ソケットの取り外しを簡単な作業で行うことができる。
【００２４】
ソケットを取付け部材に嵌め込むために、ソケットは、その嵌め込み方向の前方の端部に設けられて取付け部材に設けられた係止部に係止される被係止部を有し、取付け部材の係止部との係止点を中心としてソケットを斜め側方に押し付けつつ回動して取付け部材に嵌め込まれるようにすると、ソケットの手前（嵌め込み方向の後方）にある掛け止め爪と奥（嵌め込み方向の前方）にある被係止部とが協働してソケットを確実に取付け部材に取付けることができる。
【００２５】
取付け部材が一方の物体に固定されてソケットが嵌入して取付けられる取付け孔を有する取付け板から成り、係止部が取付け板の取付け孔に対してほぼ直交するように設けられた係止片から成り、また、ソケットが取付け板に掛け止めされた状態で取付け板の一方の物体とは反対側の面に係合する係合フランジを有すると、ソケットは取付け部材が板状であっても係止片、係合フランジによって取付け孔に安定して取付けることができる。
【発明を実施するための最良の形態】
【００２６】
本発明の実施の形態を図面を参照して詳細に述べると、図１及び図２は、本発明のヒンジ装置１０の応用例を示し、図示の例では、ヒンジ装置１０は、パチンコの如き遊技具用の収納物体(ケース)１２の収納物体本体１４とこの収納物体本体１４に取付けられる扉１６と間に設けられて扉１６を開閉自在に支持している。図示の例では、ヒンジ装置１０は、収納物体本体１４と扉１６との間で上下２ケ所に設けられているが、３ケ所以上であってもよいし、縦寸法が小さければ、１ケ所であってもよい。なお、本発明のヒンジ装置１０は、このような遊戯具だけでなく、家具、建造物等種々の収容物体と扉の如き相互に開閉する２つの物体を枢動自在に支持するのに用いることができる。
【００２７】
ヒンジ装置１０は、扉１６に取付けられるソケット２０と、このソケット２０にリンク機構２２を介して取付けられたヒンジ本体２４と、ソケット２０を扉１６の取付け部材２６に着脱自在に取付けるソケット取付け手段２８（図３参照）とを備え、ヒンジ本体２４は、後に述べるように、容器本体１４に固定される。
【００２８】
ソケット２０は、図４、図５及び図１０に示すように、上下の水平板片３０、３０’とこれらの水平板片３０、３０’を連結する垂直連結片３２とから成る断面コ字形の形態を有する。上下の水平板片３０、３０’は、取付け部材２６に取付ける際の嵌め込み方向（図１６の矢印Ａ参照）の後方に向けて斜めに延びる延長部分に２つのピン孔３１Ａ、３１Ｂ、３１’Ａ、３１’Ｂを有する。これらの上下の水平板片３０、３０’は、それぞれその開放側（垂直連結片３２を有しない側）の縁に沿って上下の垂直な係合フランジ３４、３４’を有し、これらの係合フランジ３４、３４’は、複数のねじ貫通孔３４ａ、３４’ａを有する。これらの係合フランジ３４、３４’は、後に述べるように、ソケット取付け手段２８によってソケット２０を取付け部材２６に取付けた状態でソケット２０が取付け部材２６に係合して取付け部材２６の後述する取付け孔から嵌め込み方向に抜け出すのを防止する機能を有し、またソケット２０を取付け部材２６にねじで本固定する機能を有するが、ねじ貫通孔３４ａ、３４’ａを省略してソケット２０の嵌め込みだけでソケット２０を取付け部材２６に固定するようにしてもよい。また、垂直連結片３２は、略四角形の貫通孔(打ち抜き孔)３６を有し、この貫通孔３６は、ヒンジ装置１０を折り畳んで扉１６を閉じる際にヒンジ装置１０のリンク機構２２の構成部品がこの貫通孔３６に入り込んで取付け部材２６に干渉することがないようにする働きを有する。
【００２９】
ヒンジ本体２４も、同様にして、図４、図５及び図１０に示すように、上下の水平板片３８、３８’とこれらの水平板片３８、３８’を連結する垂直連結片４０とから成る断面コ字形の形態を有する。上下の水平板片３８、３８‘は、２つのピン孔３９Ａ、３９Ｂ、３９’Ａ、３９’Ｂをそれぞれ有する（３９’Ａ、３９’Ｂは、図３では隠れて見えない）。またこれらの上下の水平板片３８、３８’は、それぞれその開放側（垂直連結片４０を有しない側）の縁に沿って上下の垂直な固定フランジ４２、４２’を有し、これらの固定フランジ４２、４２’は、ねじ貫通孔４２ａ、４２’ａをそれぞれ有する。これらの固定フランジ４２、４２’は、ヒンジ本体２４を容器本体１４の側壁内面にねじで固定する機能を有する。なお、図４及び図１６から解るように、固定フランジ４２’は、突起１０２を有し、この突起１０２は、容器本体１４の内面の相応するへこみに係入してヒンジ本体２４を容器本体１４に固定する位置を設定する位置決め機能を有する。
【００３０】
図示の形態では、リンク機構２２は、図３及び図４に示すように、断面コ字形の内側アーム４４とこの内側アーム４４の外側に設けられた断面コ字形の外側アーム４６とから成っている。これらのアーム４４、４６は、後に述べるように、ソケット２０とヒンジ本体２４とを枢動自在（折畳み・展開自在）に支持するようにソケット２０とヒンジ本体２４との間を連結している。
【００３１】
内側アーム４４は、上下の相対するアーム水平片４４Ｕ、４４Ｌとこれらのアーム水平片４４Ｕ、４４Ｌを連結するアーム垂直片４４Ｖとから成り、アーム水平片４４Ｕ、４４Ｌは、その両端付近にそれぞれ上下に相対する各２つのピン孔４５Ａ、４５Ｂ、４５Ａ’、４５Ｂ’をそれぞれ有する。一方、外側アーム４６も、上下の相対するアーム水平片４６Ｕ、４６Ｌとこれらのアーム水平片４６Ｕ、４６Ｌを連結するアーム垂直片４６Ｖとから成り、アーム水平片４６Ｕ、４６Ｌは、その両端付近にそれぞれ上下に相対するピン孔４７Ａ、４７Ｂ、４７Ａ’、４７Ｂ’をそれぞれ有する。
【００３２】
リンク機構２２は、図１０乃至図１３及び図１６乃至図１８に示すように、ソケット２０の上方の水平板片３０のピン孔３１Ａと外側アーム４６の上下のアーム水平片４６Ｕ、４６Ｌのピン孔４７Ａ、４７’Ａとソケット２０の下方の水平板片３０’のピン孔３１’Ａとにピン５０が貫通してソケット２０と外側アーム４６の一端とを相互に枢動自在に連結し、またヒンジ本体２４の上方の水平板片３８のピン孔３９Ａ、外側アーム４６の上下のアーム水平片４６Ｕ、４６Ｌのピン孔４７Ｂ、４７Ｂ’とヒンジ本体２４の下方の水平板片３８’のピン孔３９’Ａ(図面では見えない)とにピン５２が貫通してヒンジ本体２４と外側アーム４６の他端とを相互に枢動自在に連結している。
【００３３】
リンク機構２２は、また、同様に、図１０乃至図１３及び図１６乃至図１８に示すように、ソケット２０の上方の水平板片３０のピン孔３１Ｂと内側アーム４４の上下のアーム水平片４４Ｕ、４４Ｌのピン孔４５Ａ、４５Ａ’とソケット２０の下方の水平板片３０’のピン孔３１’Ｂとにピン５４が貫通してソケット２０と内側アーム４６の一端とを相互に枢動自在に連結し、またヒンジ本体２４の上方の水平板片３８のピン孔３９Ｂ、内側アーム４４の上下のアーム水平片４４Ｕ、４４Ｌのピン孔４５Ｂ、４５Ｂ’とヒンジ本体２４の下方の水平板片３８’のピン孔３９’Ｂ(図面では見えない)とにピン５６が貫通してヒンジ本体２４と内側アーム４６の他端とを相互に枢動自在に連結している。
【００３４】
リンク機構２２は、これらの内外のアーム４４、４６のリンク仕掛け動作によって扉１６を収納物体本体１４に開閉自在に連結しているが、このリンク機構２２の動作の詳細な説明を省略する。
【００３５】
ソケット取付け手段２８は、ソケット２０を取付け部材２６に係止しつつ取付け部材２６に嵌め込み、取付け部材２６に弾性的に掛け止めして取付けるが、その詳細を以下に述べる。
【００３６】
即ち、ソケット取付け手段２８は、ソケット２０の嵌め込み方向の前方の端部に設けられた被係止部６０と、取付け部材２６に設けられソケット２０の被係止部６０を係止する係止部６２とから成り、ソケット２０は、その被係止部６０と取付け部材２６の係止部６２との係止点を中心として斜め側方に押し付けられながら（図１７の矢印Ｂ参照）回動して（図１７の矢印Ｃ参照）取付け部材２６に取付けられる。
【００３７】
図示の形態では、ソケット２０の被係止部６０は、ソケット２０の嵌め込み方向の端部の縁（垂直連結片３２の一方の縁）に設けられた被係止片６０Ｐから成っており、また取付け部材２６は、扉１６に固定されてソケット２０が嵌入して取付けられる取付け孔６５を有する取付け板６４から成り、その係止部６２は、取付け板６４の取付け孔６５に対してほぼ直交するように設けられた係止片６２Ｐから成っている。
【００３８】
図２に示すように、扉１６は、取付け板６４のねじ貫通孔６４ａに対応して固定された複数のスペーサパイプ１０４（図２では１つのスペーサパイプ１０４のみが示されている）を有し、取付け板６４は、このスペーサパイプ１０４の端部にあてがわれてねじ貫通孔６４ａを貫通してスペーサパイプ１０４の端部ねじ部にねじ込まれたねじ１０６によって扉１６の内面から間隔をあけて扉１６に取付けられている。なお、図４に示すように、取付け板６４は、取付け孔６５の上縁に沿って案内片１０８を有し、この案内片１０８は、ソケット２０を取付け板６４の取付け孔６５に嵌め込む際にソケット２０を案内すると共にソケット２０の嵌め込み後、ソケット２０を取付け孔６５に安定状態に保持する機能を有する。なお、取付け板６４は、上下のソケット取付け部の間に板面に直角に折り曲げて形成された補強リブ１１２を有する。
【００３９】
図示の形態では、ソケット２０とリンク機構２２の内外のアーム４４、４６との間には合成樹脂製のスペーサ６６が設けられ、このスペーサ６６は、図３乃至図６に示すように、ソケット２０の上下の水平板片３０、３０’と外側アーム４６の上下のアーム水平片４６Ｕ、４６Ｌとの間に配置されるスペーサ部分６８、６８’と、ソケット２０の上下の水平板片３０、３０’と内側アーム４４の上下の水平板片４４Ｕ、４４Ｌとの間に配置されるスペーサ部分７０、７０’と、これらのスペーサ部分６８、６８’と７０、７０’とを相互に連結するスペーサ連結部分７２とから成っている。
【００４０】
スペーサ部分６８、６８’は、ピン５０が貫通するピン貫通孔６８ａ、６８’ａを有し、またスペーサ部分７０、７０’は、ピン５４が貫通するピン貫通孔７０ａ、７０’ａを有し、ピン貫通孔７０ａ、７０’ａは、図３及び図６から解るように、長孔となっていてスペーサ部分７０、７０’とスペーサ連結部分７２とがスペーサ部分６８、６８’に対して撓むことができるようになっている。
【００４１】
ソケット取付け手段２８は、更に、ソケット２０を扉１６側の取付け部材２６に弾性的に掛け止めするソケット掛け止め部７４を備え、この掛け止め部７４は、ソケット２０の嵌め込み方向の後方に向けて突出する掛け止め爪７５から成っている。
【００４２】
この掛け止め爪７５は、図示の形態では、スペーサ６６の一部に設けられ、取付け部材２６である取付け板６４の取付け孔６５の縁６５ｆに掛け止めされる。更に詳細に述べると、掛け止め爪７５は、ソケット２０の側方から突出するスペーサ６６のスペーサ連結部分７２を掛け止めアーム７５Ａとしてこの掛け止めアーム７５Ａに設けられており、後に詳細に述べるが、ソケット２０を取付け板６４の取付け孔６５に嵌め込む際に、掛け止めアーム７５Ａは、取付け孔６５を構成する他の案内片１１４によって撓みを受けながらこの取付け孔６５を潜って嵌め込まれ、その後この撓みから復元して掛け止め爪７５が取付け孔６５の縁６５ｆに掛け止めされる。
【００４３】
なお、スペーサ部分６８、６８’及び７０、７０’がスペーサ連結部分７２によって連結されていなくてもよく、この場合には、掛け止め部７４は、スペーサ部分６８と６８’または７０と７０’を連結する部分から嵌め込み方向に延びる延長部分に形成してこの延長部分を掛け止めアーム７５Ａとしてその先端に掛け止め爪７５を形成する。更に、掛け止め部７４は、スペーサ６６ではなく、ソケット２０自体に設けてもよいが、この場合には、掛け止め部７４となるソケット部分は、取付け孔６５をかいくぐることができるように可撓性を有することが要求される。
【００４４】
次に、本発明に係わるヒンジ装置１０のソケット２０の取付け方法を図７乃至図９、図１０乃至図１３及び図１４乃至図１６を参照して述べる。まず、図２に示すように、取付け部材２６である取付け板６４をスペーサパイプ１０４を介してねじ１０６によって扉１６の内面に固定し、また予めソケット２０とヒンジ本体２４との間にリンク機構２２を組み付けてヒンジアッセンブリを形成し、このヒンジアッセンブリのヒンジ本体２４の固定フランジ４２、４２’をそのねじ貫通孔４２ａ、４２’ａを貫通するねじで収納物体本体１４の内面に固定してヒンジ本体２４を収納物体本体１４に取付ける。
【００４５】
次いで、リンク機構２２を展開した状態でソケット２０を扉１６に固定された取付け部材２６である取付け板６４に嵌め込んでソケット２０を固定するが、その手順を図７乃至図９、図１０乃至図１５及び図１６乃至図１８、特に図１６乃至図１８を参照して以下に詳細に説明する。
【００４６】
まず、図１６（図７、図１０及び図１１も参照）に示すように、ソケット２０の被係止片６０Ｐを斜め前方に向けながらソケット２０を取付け板６４の取付け孔６５に図１６の矢印Ａ方向に、次いで図１７の矢印Ｂ方向に嵌め込み、被係止片６０Ｐを取付け板６４の係止片６２Ｐに係止する（図８、図１２、図１３及び図１７参照）。このようにすると、ソケット２０側の被係止片６０Ｐは、取付け板６４側の係止片６２Ｐに係止し、この係止点を中心にしてソケット２０を図１７の矢印Ｃ方向に回動しながら嵌め込むことができる。
【００４７】
ソケット２０が矢印Ｃ方向に回動しながら嵌め込まれると、ソケット２０とリンク機構２２のアーム４４、４６との間に配置されたスペーサ６６のスペーサ連結部分７２から成る掛け止めアーム７５Ａが取付け板６４の案内片１１４によって内側に撓ませられながら取付け孔６５を潜り抜け、掛け止めアーム７５Ａの掛け止め爪７５が取付け孔６５を越えると、掛け止めアーム７５Ａの復元力によって掛け止め爪７５が取付け孔６５の縁６５ｆに掛け止めされる（図９、図１２、図１５及び図１８参照）。
【００４８】
ソケット２０の被係止片６０Ｐが取付け板６４の係止片６２に係止すると、ソケット２０の上下の水平板片３０、３０’の被係止片６０側の縁３０ｆ、３０’ｆが係止片６２の内面に係合し（図１７参照）、被係止片６０が係止片６２に係止するのを確実にし、またソケット２０が嵌め込まれて掛け止めされると、この掛け止め部７４と対称的な位置で、被係止片６０Ｐが係止片６２Ｐに係止して掛け止めされる。
【００４９】
従って、掛け止めアーム７５Ａの掛け止め爪７５と取付け孔６４の取付け孔６５の縁６５ｆとの掛け止めとソケット２０の被係止片６０Ｐと取付け板６４の係止片６２Ｐとの掛け止めによってソケット２０が扉１６から離れる方向に抜けるのが防止され、更にソケット２０の上下の水平板片３０、３０’の両側縁と取付け板６４の係止片６２Ｐと案内片１０６との係合によってソケット２０が左右に変位することなく拘束され、ソケット２０は、取付け板６４に嵌着される。
【００５０】
図１４に示すように、ソケット２０の上下の係合フランジ３４、３４’のねじ貫通孔３４ａ、３４’ａに貫通したねじを取付け板６４のねじ孔にねじ込んでソケット２０を取付け板６４に本固定することもできるが、この本固定は省略してもよいことは既に述べた通りである。ただし、既に述べたように、これらの係合フランジ３４、３４’は、ソケット２０が扉１６の内面に向けて取付け板６４から抜け出るのを防止する機能も有するので、本固定しない場合であってもこれらの係合フランジ３４、３４’を設けることが必要である。
【００５１】
ソケット２０を取付け板６４から外すためには、ソケット２０の本固定を外した後、図１８の状態から適宜の治具でスペーサ６６の掛け止めアーム７５Ａを図１８の右側に撓ませて掛け止め爪７５を取付け板６４の取付け孔６５の縁６５ｆから掛け外す。この状態で、この掛け外した部分からソケット２０を扉１６の内面から離れる方向に抜き出すことによってソケット２０を扉１６から外すことができる。
【００５２】
注目すべきことは、掛け止め爪７５は、ソケット２０の嵌め込み方向に対して後方に向けて突出しているので、掛け止め爪７５をソケットの抜き出し方向の手前（嵌め込み方向の後方）から容易に掛け外すことができ、ソケットを扉１６から外す作業を容易に行うことができる。
【００５３】
特に、取付け部材２６がソケット２０を嵌め込む取付け孔６５を有する取付け板６４から成り、掛け止め爪７５がソケット２０の側方から突出する掛け止めアーム７５Ａに設けられていると、ソケット２０の側方に治具を入れて掛け止めアーム７５Ａを介して掛け止め爪７５をに掛け外すことができ、ソケット２０を扉１６から外す作業を一層容易に行うことができる。従って、ソケット２０の側方から突出する掛け止めアーム７５Ａは、爪外し操作部１１６を構成していることが解る。
【００５４】
また、取付け板６４に設けられて掛け止めアーム７５Ａを弾性的に引っ込めつつ案内する案内片１１４は、ソケット２０の嵌め込み時に掛け止めアーム７５Ａを引っ込める機能の他に、ソケット２０が嵌め込まれた後にソケット２０を取付け板６４に安定して保持する機能を有するので、ソケット２０を取付け板６４に堅固に支持することができる。
【００５５】
なお、上記の組み付け方法では、ソケット２０を取付け板６４の取付け孔６５に嵌め込んでソケット２０を係止点を中心に回動して掛け止めするように説明したが、収納物体１４が重く、ソケット２０を扉１６の取付け板６４に嵌め込むことが困難な場合には、扉１６側の取付け板６４の取付け孔６５にソケット２０が嵌り込んで掛け止めされるように取付け板６４を動かしてもよい。また、ヒンジ装置１０のヒンジ本体２４を収納物体１４に固定する前に、ソケット２０を扉１６の取付け板６４に取付け、その後ヒンジ装置１０のヒンジ本体２４を収納物体１４に固定してもよい。
【００５６】
また、上記実施の形態では、リンク機構２２は、内外のアーム４４、４６から成っているが、これらのアームの数及び形態は上記の構造に限定されることなく、任意の形態のものであってもよい。更に、上記実施の形態では、ソケット２０とヒンジ本体２４とは、リンク機構２２を介して回動自在に取付けられているが、本発明は、ソケット２０とヒンジ本体２４とが直接ピボット止めされて回動自在に取付けられているものにも同様に適用することができる。
【産業上の利用可能性】
【００５７】
本発明は、ヒンジ装置を相互に開閉自在に結合されるべき２つの物体の少なくとも一方に取付ける際に、このヒンジ装置を物体に掛け止めするソケット掛け止め位置がソケットの奥ではなく、手前となり、ソケットの掛け外しを容易に行うことができ、また取付け部材側には弾性掛け止め部分を必要としないので取付け部材の構造が簡単となり、ヒンジ装置の実用性が向上する。
【図面の簡単な説明】
【００５８】
【図１】本発明に係わるヒンジ装置が取付けられた扉付き容器の扉を開いた状態の斜視図である。
【図２】図１のヒンジ装置に扉を連結する直前の水平断面図である。
【図３】本発明のヒンジ装置の要部の拡大説明図である。
【図４】本発明のヒンジ装置の分解斜視図である。
【図５】本発明のヒンジ装置の分解平面図である。
【図６】本発明のヒンジ装置に用いられるスペーサを拡大して示し、同図（Ａ）は、その斜視図、同図（Ｂ）はその平面図である。
【図７】本発明のヒンジ装置に扉を連結する直前の状態を扉の内面側から見た斜視図である。
【図８】本発明のヒンジ装置に扉を連結するためにソケットを取付け部材に嵌め込み始めた状態を扉の内面側から見た斜視図である。
【図９】本発明のヒンジ装置に扉を連結するためにソケットを取付け部材に嵌め込んだ状態を扉の内面側から見た斜視図である。
【図１０】本発明のヒンジ装置に扉を連結する直前の状態を図７とは反対側から見た拡大斜視図である。
【図１１】本発明のヒンジ装置に扉を連結する直前の状態の拡大平面図である。
【図１２】本発明のヒンジ装置に扉を連結するためにソケットを取付け部材に嵌め込み始めた状態を図８とは反対側から見た拡大斜視図である。
【図１３】本発明のヒンジ装置に扉を連結するためにソケットを取付け部材に嵌め込み始めた状態の拡大平面図である。
【図１４】本発明のヒンジ装置のソケットを取付け部材に嵌め込んだ状態を図９とは反対側から見た拡大斜視図である。
【図１５】本発明のヒンジ装置のソケットを取付け部材に嵌め込んだ状態の拡大平面図である。
【図１６】本発明のヒンジ装置に扉を連結する直前の状態の拡大水平断面図である。
【図１７】本発明のヒンジ装置に扉を連結するためにソケットを取付け部材に嵌め込み始めた状態の拡大水平断面図である。
【図１８】本発明のヒンジ装置のソケットを取付け部材に嵌め込んだ状態の拡大水平断面図である。
【符号の説明】
【００５９】
１０  ヒンジ装置
１２  収納物体(ケース)
１４  収納物体本体
１６  扉
２０  ソケット
２２  リンク機構
２４  ヒンジ本体
２６  取付け部材
２８  ソケット取付け手段
３０、３０’  ソケット２０の上下の水平板片
３１Ａ、３１Ｂ、３１’Ａ、３１’Ｂ  ソケット２０のピン孔
３２  ソケット２０の垂直連結片
３４、３４’  ソケット２０の上下の垂直係合片
３４ａ、３４’ａ  係合フランジ３４、３４’のねじ貫通孔
３６  垂直連結片３２の貫通孔
３８、３８’  ヒンジ本体２４の上下の水平板片
３９Ａ、３９Ｂ、３９’Ａ、３９’Ｂ  ヒンジ本体２４のピン孔
４０  ヒンジ本体２４の垂直連結片
４２、４２’  ヒンジ本体２４の上下の垂直固定片
４１ａ、４２’ａ  固定フランジ４２、４２’のねじ貫通孔
４４  内側アーム
４４Ｕ、４４Ｌ  内側アーム４４の上下のアーム水平片
４４Ｖ  内側アーム４４のアーム垂直片
４５Ａ、４５Ａ’、４５Ｂ、４５’Ｂ  アーム水平片４４Ｕ、４４Ｌの各２つのピン孔
４６  外側アーム
４６Ｕ、４６Ｌ  外側アーム４６の上下のアーム水平片
４６Ｖ  外側アーム４６のアーム垂直片
４７Ａ、４７Ａ’、４７Ｂ、４７’Ｂ  アーム水平片４６Ｕ、４６Ｌの各２つのピン孔
５０、５２、５４、５６  ピン
６０  被係止部
６０Ｐ  被係止片
６２  係止部
６２Ｐ  係止片
６４  取付け板
６４ａ  ねじ貫通孔
６５  取付け孔
６５ｆ  取付け孔６５の縁
６６  スペーサ
６８、６８’、７０、７０’  スペーサ部分
６８ａ、６８’ａ、７０ａ、７０’ａ  ピン貫通孔
７２  スペーサ連結部分
７４  掛け止め部
７５  掛け止め爪
７５Ａ  掛け止めアーム
１０２  固定片４２’の突起
１０４  スペーサタイプ
１０６  ねじ
１０８  取付け板６４の案内片
１１０  ヒンジアッセンブリ
１１２  補強リブ
１１４  取付け孔６４の他の案内片
１１６  爪外し操作部
【図１】
2005113415.tif 000003
【図２】
2005113415.tif 000004
【図３】
2005113415.tif 000005
【図４】
2005113415.tif 000006
【図５】
2005113415.tif 000007
【図６】
2005113415.tif 000008
【図７】
2005113415.tif 000009
【図８】
2005113415.tif 000010
【図９】
2005113415.tif 000011
【図１０】
2005113415.tif 000012
【図１１】
2005113415.tif 000013
【図１２】
2005113415.tif 000014
【図１３】
2005113415.tif 000015
【図１４】
2005113415.tif 000016
【図１５】
2005113415.tif 000017
【図１６】
2005113415.tif 000018
【図１７】
2005113415.tif 000019
【図１８】
2005113415.tif 000020